(57)【要約】  太陽電池モジュールは、太陽電池パネルおよび端子ボックスを備える。端子ボックスは、太陽電池パネル上の基体部および基体部に係合している本体部を有する。基体部は、第１部分、第２部分および第１端子部分を有する。第１部分は、太陽電池パネル上に固定されている状態で位置している。第２部分は、太陽電池パネルから離れる方向に第１部分から突出した状態で位置し、円環状の領域に沿った被係合部分を含む。第１端子部分は、太陽電池セルに電気的に接続している導線が、電気的に接続されている状態で位置している。本体部は、第３部分および第４部分を有する。第３部分は、第２端子部分を含む部分と第１端子部分の第２端子部分に接触している部分とを収容している密閉空間を基体部と形成している状態で位置している。第４部分は、被係合部分に回転可能かつ脱着可能な状態で係合している状態で円環状の領域に沿って位置している係合部分を含む。
2018181289.tif 000002
【特許請求の範囲】
【請求項１】
太陽電池セルを含む太陽電池パネルと、
該太陽電池パネルの表面上に位置している端子ボックスと、を備え、
前記端子ボックスは、
前記表面上に位置している基体部と、
前記基体部上で前記基体部に係合している状態で位置している本体部と、を有し、
前記基体部は、
前記表面上に位置している第１部分と、
前記表面から離れる第１方向に沿って前記第１部分から突出した状態で位置し、円環状の領域に沿って位置している被係合部分を含む第２部分と、
前記太陽電池セルに電気的に接続している状態で前記太陽電池パネル内から前記表面上の領域まで位置している導線が、電気的に接続されている状態で位置している第１端子部分と、を有し、
前記本体部は、
第２端子部分を含む端子含有部分と前記第１端子部分のうちの前記第２端子部分に接触している状態で位置している部分とを収容している状態にある密閉空間を前記基体部と形成している状態で位置している第３部分と、
前記被係合部分に対して回転可能かつ脱着可能な状態で係合している状態で円環状の領域に沿って位置している係合部分を含む第４部分と、を有する、太陽電池モジュール。
【請求項２】
請求項１に記載の太陽電池モジュールであって、
前記端子含有部分は、前記第３部分と一体的に構成されているか、あるいは前記第１方向において前記第３部分に接している状態で位置している、太陽電池モジュール。
【請求項３】
請求項１または請求項２に記載の太陽電池モジュールであって、
前記太陽電池パネルは、前記第１方向とは逆の第２方向に貫通している状態で位置している孔部を有している板状の部材、を含み、
前記基体部は、前記孔部に嵌合している状態で位置している凸部を有する、太陽電池モジュール。
【請求項４】
請求項１から請求項３の何れか１つの請求項に記載の太陽電池モジュールであって、
前記基体部と前記本体部との間隙を塞いでいる状態で位置しているパッキング部材、をさらに備えている、太陽電池モジュール。
【請求項５】
請求項４に記載の太陽電池モジュールであって、
前記基体部は、前記本体部に向かって突出している状態で位置している環状突出部分、を有し、
前記本体部は、前記パッキング部材を保持している状態で位置している環状保持部分、を有し、
前記パッキング部材は、前記環状突出部分に接している状態で位置している、太陽電池モジュール。
【請求項６】
請求項５に記載の太陽電池モジュールであって、
前記環状保持部分は、前記第１方向に凹んでいる状態で位置している環状凹部を含み、
前記パッキング部材は、前記環状凹部内に位置し、
前記環状突出部分が、前記環状凹部内において前記パッキング部材に接している状態で位置している、太陽電池モジュール。
【請求項７】
請求項１から請求項６の何れか１つの請求項に記載の太陽電池モジュールであって、
前記第３部分と前記端子含有部分と前記第４部分とが一体的に構成されている状態で位置しており、
前記第２方向に前記基体部を平面透視した場合に、前記第１端子部分は、仮想的な軸を中心とした円状の仮想線に沿って位置しているとともに、前記第１方向に前記本体部を平面透視した場合に、前記第２端子部分は、前記仮想線に沿って位置しており、
前記第４部分は、前記第２部分に対して前記軸を中心として回転可能な状態で位置している、太陽電池モジュール。
【請求項８】
請求項７に記載の太陽電池モジュールであって、
前記第１端子部分および前記第２端子部分のうちの１つの端子部分は、前記第１方向に沿って延びている状態で位置している第１板状部分と、該第１板状部分から折れ曲がるように延びている状態で位置している第２板状部分と、を有する屈曲端子部分、を含み、
前記第１端子部分および前記第２端子部分のうちの前記屈曲端子部分とは異なる他の１つの端子部分は、前記第１板状部分と接触している状態であって、前記第１方向または前記第２方向において前記第２板状部分によって係止されている状態で位置している、被係止端子部分、を含む、太陽電池モジュール。
【請求項９】
請求項１から請求項６の何れか１つの請求項に記載の太陽電池モジュールであって、
前記第３部分は、
前記表面側に位置している第１の径の円環状の外縁を有する第１環状部と、
該第１環状部の前記第１方向の側に位置している前記第１の径よりも小さな第２の径を有する第２環状部と、
前記第１環状部と前記第２環状部とをつないでいる状態で位置している段差部と、を含み、
前記第４部分は、
前記第２環状部が挿通されている状態で位置している孔部と、
該孔部の周りにおいて前記第２方向に前記段差部を押している状態で位置している押さえ部と、
該押さえ部から前記第１環状部の外周部に沿って前記第２方向に延びている状態で位置し、前記係合部分を有する筒状部と、を含む、太陽電池モジュール。
【請求項１０】
請求項１から請求項９の何れか１つの請求項に記載の太陽電池モジュールであって、
前記端子含有部分は、ダイオードを含む、太陽電池モジュール。
【請求項１１】
請求項１から請求項１０の何れか１つの請求項に記載の太陽電池モジュールであって、
前記基体部は、前記導線と電気的に接続されている状態で位置している出力用のケーブルを有する、太陽電池モジュール。
【請求項１２】
基体部と、該基体部に対して着脱可能な本体部と、を備え、
前記基体部は、
太陽電池セルを含む太陽電池パネルの表面上に位置するための底面を含む第１部分と、
前記底面とは逆向きの第１方向に沿って前記第１部分から突出している状態で位置し、円環状の領域に沿って位置している被係合部分を含む第２部分と、
前記太陽電池セルに電気的に接続している状態で前記太陽電池パネル内から前記表面上の領域まで位置している導線、に電気的に接続されるための第１端子部分と、を有し、
前記本体部は、
前記基体部に対して前記本体部が装着されることで、第２端子部分を含む端子含有部分と前記第１端子部分のうちの前記第２端子部分に接触している状態で位置している部分とを収容している状態にある密閉空間を前記基体部と形成可能な第３部分と、
前記被係合部分に対して回転可能かつ着脱可能に係合するための円環状の領域に沿って位置している係合部分を含む第４部分と、を有する、太陽電池モジュール用の端子ボックス。
【発明の詳細な説明】
【技術分野】
【０００１】
本開示は、太陽電池モジュールおよび太陽電池モジュール用の端子ボックスに関する。
【背景技術】
【０００２】
太陽電池モジュールには、太陽電池パネルの裏面に端子ボックスが取り付けられているものがある。この端子ボックスには、例えば、太陽電池パネルにおける光電変換によって得られた電気を、太陽電池モジュールの外部に出力するためのケーブルが接続される（例えば、特開２００８−２６３１９８号公報を参照）。
【発明の概要】
【０００３】
太陽電池モジュールおよび太陽電池モジュール用の端子ボックスが開示される。
【０００４】
太陽電池モジュールの一態様は、太陽電池セルを含む太陽電池パネルと、該太陽電池パネルの表面上に位置している端子ボックスと、を備えている。前記端子ボックスは、基体部と、本体部と、を有する。前記基体部は、前記表面上に位置している。前記本体部は、前記基体部上で前記基体部に係合している状態で位置している。前記基体部は、第１部分と、第２部分と、第１端子部分と、を有する。前記第１部分は、前記表面上に位置している。前記第２部分は、前記表面から離れる第１方向に沿って前記第１部分から突出する状態で位置し、円環状の領域に沿って位置している被係合部分を含む。前記第１端子部分は、前記太陽電池セルに電気的に接続している状態で前記太陽電池パネル内から前記表面上の領域まで位置している導線が、電気的に接続されている状態で位置している。前記本体部は、第３部分と、第４部分と、を有する。前記第３部分は、第２端子部分を含む端子含有部分と前記第１端子部分のうちの前記第２端子部分に接触している状態で位置している部分とを収容している状態にある密閉空間を前記基体部と形成している状態で位置している。前記第４部分は、前記被係合部分に対して回転可能かつ脱着可能な状態で係合している状態で円環状の領域に沿って位置している係合部分を含む。
【０００５】
太陽電池モジュール用の端子ボックスの一態様は、基体部と、該基体部に対して着脱可能な本体部と、を備えている。前記基体部は、第１部分と、第２部分と、第１端子部分と、を有する。前記第１部分は、太陽電池セルを含む太陽電池パネルの表面上に位置するための底面を含む。前記第２部分は、前記底面とは逆向きの第１方向に沿って前記第１部分から突出している状態で位置し、円環状の領域に沿って位置している被係合部分を含む。前記第１端子部分は、前記太陽電池セルに電気的に接続している状態で前記太陽電池パネル内から前記表面上の領域まで位置している導線、に電気的に接続されるための部分である。前記本体部は、第３部分と、第４部分と、を有する。前記第３部分は、前記基体部に対して前記本体部が装着されることで、第２端子部分を含む端子含有部分と前記第１端子部分のうちの前記第２端子部分に接触している状態で位置している部分とを収容している状態にある密閉空間を前記基体部と形成可能である。前記第４部分は、前記被係合部分に対して回転可能かつ着脱可能に係合するための円環状の領域に沿って位置している係合部分を含む。
【図面の簡単な説明】
【０００６】
【図１】図１は、第１実施形態から第４実施形態および第７実施形態から第９実施形態に係る太陽電池モジュールの一例の外観を示す斜視図である。
【図２】図２は、第１実施形態から第４実施形態および第７実施形態から第９実施形態に係る太陽電池モジュールの一例の前面側から見た外観を示す平面図である。
【図３】図３は、第１実施形態から第４実施形態および第７実施形態から第９実施形態に係る太陽電池モジュールの一例の裏面側から見た外観を示す平面図である。
【図４】図４は、図１のIV部の構成の一例を拡大して示す分解斜視図である。
【図５】図５（ａ）は、図４のＶ−Ｖ線に沿った端子ボックスの切断面を示す分解端面図である。図５（ｂ）は、図４のＶ−Ｖ線に沿った端子ボックスの切断面を示す端面図である。
【図６】図６（ａ）は、第２実施形態に係る太陽電池モジュールのうちの図１のIV部に対応する部分の一例を示す分解斜視図である。
【図７】図７（ａ）は、図６のVII−VII線に沿った端子ボックスの切断面を示す分解端面図である。図７（ｂ）は、図６のVII−VII線に沿った端子ボックスの切断面を示す端面図である。
【図８】図８（ａ）は、第３実施形態に係る端子ボックスの一例のうちの図６のVII−VII線に沿った切断面に対応する切断面を示す分解端面図である。図８（ｂ）は、第３実施形態に係る端子ボックスの一例のうちの図６のVII−VII線に沿った切断面に対応する切断面を示す端面図である。
【図９】図９（ａ）は、第４実施形態に係る端子ボックスの基体部の一例の本体部側から見た外観を示す平面図である。図９（ｂ）は、第４実施形態に係る端子ボックスの本体部の一例の基体部側から見た外観を示す平面図である。
【図１０】図１０（ａ）は、第４実施形態に係る基体部の第１端子部分の一例の外観を示す斜視図である。図１０（ｂ）は、第４実施形態に係る本体部の第２端子部分の一例の外観を示す斜視図である。
【図１１】図１１（ａ）は、第４実施形態に係る端子ボックスの一例のうちの図６のVII−VII線に沿った切断面に対応する切断面を示す分解端面図である。図１１（ｂ）は、第４実施形態に係る端子ボックスの一例のうちの図６のVII−VII線に沿った切断面に対応する切断面を示す端面図である。
【図１２】図１２は、第５実施形態に係る端子ボックスの一例の外観を示す斜視図である。
【図１３】図１３は、第６実施形態に係る端子ボックスの一例の構成を示す分解斜視図である。
【図１４】図１４は、第７実施形態に係る太陽電池モジュールの一例のうちの図１のIV部に対応する部分の一例を示す分解斜視図である。
【図１５】図１５（ａ）は、第７実施形態に係る端子ボックスの基体部の一例の本体部側から見た外観を示す平面図である。図１５（ｂ）は、第７実施形態に係る端子ボックスの本体部の一例の基体部側から見た外観を示す平面図である。
【図１６】図１６は、第８実施形態に係る端子ボックスの一例のうちの図４のＶ−Ｖ線に沿った切断面に対応する切断面を示す分解端面図である。
【図１７】図１７は、第９実施形態に係る端子ボックスの一例のうちの図４のＶ−Ｖ線に沿った切断面に対応する切断面を示す分解端面図である。
【図１８】図１８は、第１０実施形態に係る太陽電池モジュールの一例のうちの図１のIV部に対応する部分の一例を示す分解斜視図である。
【図１９】図１９は、図１８のXIX−XIX線に沿った端子ボックスの切断面を示す分解端面図である。
【発明を実施するための形態】
【０００７】
太陽電池モジュールでは、一般に光電変換で得られた電気を外部に出力するために樹脂製の端子ボックスが太陽電池パネルの裏面に取り付けられている。この端子ボックスには、光電変換部に電気的に接続された導線が接続され、電気を出力するための電線を樹脂で被覆したケーブルが接続されている。また、端子ボックスには、バイパスダイオードが収容されていることもある。このバイパスダイオードは、直列接続された複数の太陽電池セルをそれぞれ含む複数の太陽電池セル群がさらに直列接続されている場合に、受光量の低下に起因して内部抵抗が上昇している太陽電池セル群を避けるように電流を流すことができる。これにより、太陽電池セルの発熱が低減され得る。
【０００８】
ところで、太陽電池モジュールには、長期間の使用が可能となるように耐久性を高めることが求められている。このため、例えば、光電変換部を表側および裏側の両側から２枚のガラス基板で挟むことで、太陽電池モジュールの耐湿性を高めることが考えられる。
【０００９】
しかしながら、太陽電池パネルの部分の耐久性が高められても、端子ボックス、端子ボックス内に収容されたバイパスダイオード、端子ボックスに接続されたケーブルなどについては、使用環境に応じて太陽電池パネルよりも劣化が早まりやすく、長期間の使用を図りにくい。このため、例えば、端子ボックス、端子ボックス内に収容されたバイパスダイオード、端子ボックスに接続されたケーブルなどは、太陽電池モジュールの長期間の使用の間に交換が必要になる場合が考えられる。
【００１０】
したがって、太陽電池モジュールおよび太陽電池モジュール用の端子ボックスについて、長期間の使用を容易に図る点などで改善の余地がある。
【００１１】
そこで、本願発明者らは、太陽電池モジュールおよび太陽電池モジュール用の端子ボックスについて、長期間の使用を容易に図ることができて、太陽電池モジュールを再利用しやすい構造とする技術を創出した。
【００１２】
これについて、以下、各実施形態を図面に基づいて説明する。図面においては同様な構成および機能を有する部分に同じ符号が付されており、下記説明では重複説明が省略される。また、図面は模式的に示されたものであるので、構成要素の一部が省略されている場合などがある。例えば、図５（ａ）、図５（ｂ）、図７（ａ）、図７（ｂ）、図８（ａ）、図８（ｂ）、図１１（ａ）、図１１（ｂ）、図１６、図１７および図１９においては、端子ボックスについては端面図で示されているが、太陽電池パネルについては便宜的に断面図で示されている。図１から図１９は、右手系のＸＹＺ座標系が付されている。このＸＹＺ座標系では、後述する太陽電池モジュール１の裏面Ｓｆ２における長手方向が＋Ｘ方向とされ、この裏面Ｓｆ２における短手方向が＋Ｙ方向とされ、後述する太陽電池モジュール１の前面Ｓｆ１の法線方向が＋Ｚ方向とされている。
【００１３】
＜１．第１実施形態＞
＜１−１．太陽電池モジュールの構成＞
第１実施形態に係る太陽電池モジュール１について、図１から図５（ｂ）に基づいて説明する。図１から図３で示されるように、太陽電池モジュール１は、例えば、太陽電池パネル２と、端子ボックス３と、を備えている。また、太陽電池モジュール１は、導線Ｗ１ａ，Ｗ１ｂ，Ｗ１ｃ，Ｗ１ｄ，Ｗ１ｅ，Ｗ１ｆを備えている。
【００１４】
図１から図５（ｂ）で示されるように、太陽電池パネル２は、例えば、表面保護部材２１と、表面側封止材２２と、光電変換部２３と、裏面側封止材２４と、裏面保護部材２５と、を含んでいる。図１から図５（ｂ）の例では、表面保護部材２１の＋Ｚ方向の側の表面が、太陽光などの外光が照射される表面（前面ともいう）Ｓｆ１とされている。また、裏面保護部材２５の−Ｚ方向の側の表面が、前面Ｓｆ１の逆側に位置している表面（裏面ともいう）Ｓｆ２とされている。太陽電池パネル２の前面Ｓｆ１と裏面Ｓｆ２とを接続している外周部は、フレームが取り付けられている状態にあってもよいし、フレームが取り付けられていない状態にあってもよい。
【００１５】
表面保護部材２１は、例えば、光電変換部２３を前面Ｓｆ１側から保護することができる。表面保護部材２１は、例えば、特定範囲の波長の光に対する透光性を有している。特定範囲の波長としては、例えば、光電変換部２３が光電変換し得る光の波長が採用される。表面保護部材２１として、例えば、板状の部材（第１板状部材ともいう）などが採用される。この第１板状部材の素材に、例えば、ガラスあるいはアクリルまたはポリカーボネートなどの樹脂が適用されれば、遮水性と特定範囲の波長の光に対する透光性とを有する表面保護部材２１が実現される。具体的には、表面保護部材２１として、例えば、表面および裏面の双方が長方形を有し、厚さが１ｍｍから５ｍｍ程度の平板状の部材が採用される。
【００１６】
裏面保護部材２５は、例えば、表面保護部材２１と対向している状態で位置している。表面保護部材２１と裏面保護部材２５との間の領域（間隙領域ともいう）Ｇ２には、光電変換部２３が存在している。このため、裏面保護部材２５は、光電変換部２３を裏面Ｓｆ２側から保護することができる。裏面保護部材２５は、例えば、特定範囲の波長の光に対する透光性を有していてもよいし、特定範囲の波長の光に対する透光性を有していなくてもよい。裏面保護部材２５として、例えば、柔軟性を有するシート状の部材（シート部材ともいう）あるいは板状の部材（第２板状部材ともいう）などが採用される。シート部材の素材には、例えば、樹脂が適用される。また、第２板状部材の素材、形状および厚さとしては、例えば、第１板状部材の素材、形状および厚さと同様なものが採用され得る。
【００１７】
表面側封止材２２は、例えば、表面保護部材２１側から光電変換部２３を覆っている状態であって、表面保護部材２１と光電変換部２３との間に充填されている状態で位置している。表面側封止材２２の素材には、例えば、特定範囲の波長の光に対する透光性が優れたエチレン酢酸ビニル共重合体（ＥＶＡ）、トリアセチルセルロース（ＴＡＣ）またはポリエチレンナフタレートなどのポリエステル樹脂などが適用される。また、裏面側封止材２４は、例えば、裏面保護部材２５側から光電変換部２３を覆っている状態であって、裏面保護部材２５と光電変換部２３との間に充填されている状態で位置している。換言すれば、表面保護部材２１と裏面保護部材２５との間に位置している間隙領域Ｇ２には、例えば、光電変換部２３を覆っている状態にある封止材が充填されている状態で位置している。裏面側封止材２４の素材には、例えば、表面側封止材２２の素材と同様な素材が適用され得る。
【００１８】
光電変換部２３は、入射される太陽光を電気に変換することが可能なＮ個（Ｎは１以上の整数）の太陽電池セルＣＥ２を含んでいる。太陽電池セルＣＥ２としては、例えば、結晶系の太陽電池セルまたは薄膜系の太陽電池セルが採用され得る。図２および図３の例では、太陽電池セルＣＥ２として結晶シリコンの太陽電池セルが採用されている。そして、２４枚の太陽電池セルＣＥ２が接続導体Ｔ１によって電気的に直列に接続されている状態で位置している。具体的には、光電変換部２３は、４つの太陽電池セル群Ｓｇ１，Ｓｇ２，Ｓｇ３，Ｓｇ４を有している。各太陽電池セル群Ｓｇ１，Ｓｇ２，Ｓｇ３，Ｓｇ４では、＋Ｘ方向に沿ってならべられた６枚の太陽電池セルＣＥ２が接続導体Ｔ１で電気的に直列に接続されている状態で位置している。さらに、４つの太陽電池セル群Ｓｇ１，Ｓｇ２，Ｓｇ３，Ｓｇ４が、＋Ｙ方向にならべられた状態で、接続導体Ｔ１によって電気的に直列に接続されている状態で位置している。
【００１９】
導線Ｗ１ａ，Ｗ１ｂ，Ｗ１ｃ，Ｗ１ｄ，Ｗ１ｅ，Ｗ１ｆは、それぞれ太陽電池パネル２内から太陽電池パネル２の表面上の領域まで位置している。図２、図３、図５（ａ）および図５（ｂ）の例では、各導線Ｗ１ａ，Ｗ１ｂ，Ｗ１ｃ，Ｗ１ｄ，Ｗ１ｅ，Ｗ１ｆは、太陽電池セルＣＥ２に電気的に接続されている状態で太陽電池パネル２内から太陽電池パネル２の表面上の領域まで位置している。各導線Ｗ１ａ，Ｗ１ｂ，Ｗ１ｃ，Ｗ１ｄ，Ｗ１ｅ，Ｗ１ｆは、銅などの導電性に優れた素材によって構成されている状態にある。各導線Ｗ１ａ，Ｗ１ｂ，Ｗ１ｃ，Ｗ１ｄ，Ｗ１ｅ，Ｗ１ｆとしては、例えば、銅箔が採用される。また、例えば、各導線Ｗ１ａ，Ｗ１ｂ，Ｗ１ｃ，Ｗ１ｄ，Ｗ１ｅ，Ｗ１ｆとして、はんだが被覆された銅箔が採用されれば、各導線Ｗ１ａ，Ｗ１ｂ，Ｗ１ｃ，Ｗ１ｄ，Ｗ１ｅ，Ｗ１ｆのはんだ付けが容易である。各導線Ｗ１ａ，Ｗ１ｂ，Ｗ１ｃ，Ｗ１ｄ，Ｗ１ｅ，Ｗ１ｆは、例えば、裏面保護部材２５の孔部Ｔｈ１を介して、裏面Ｓｆ２上に位置している端子ボックス３に接続している状態で位置している。ここで、例えば、導線Ｗ１ａ，Ｗ１ｂ，Ｗ１ｃ，Ｗ１ｄ，Ｗ１ｅ，Ｗ１ｆと光電変換部２３との間に、絶縁体のシートＩ１ａ，Ｉ１ｂ，Ｉ１ｃ，Ｉ１ｄが位置していてもよい。これにより、各導線Ｗ１ａ，Ｗ１ｂ，Ｗ１ｃ，Ｗ１ｄ，Ｗ１ｅ，Ｗ１ｆと太陽電池セルＣＥ２の電極との接触による短絡を生じにくい。
【００２０】
図２および図３の例では、太陽電池セル群Ｓｇ１に１本目の導線Ｗ１ａおよび２本目の導線Ｗ１ｂが電気的に接続している状態で位置している。太陽電池セル群Ｓｇ２に３本目の導線Ｗ１ｃが電気的に接続している状態で位置しており、太陽電池セル群Ｓｇ３に４本目の導線Ｗ１ｄが電気的に接続している状態で位置している。さらに、導線Ｗ１ｃと導線Ｗ１ｄとが接続導体Ｔ１を介して電気的に接続している状態で位置している。また、例えば、導線Ｗ１ｂと接続導体Ｔ１との交差部、および導線Ｗ１ｅと接続導体Ｔ１との交差部のそれぞれには、ポリエチレンテレフタレート（ＰＥＴ）などの絶縁体が挟まれている状態で位置している。これにより、導線Ｗ１ｂ，Ｗ１ｅと接続導体Ｔ１との間が絶縁されている状態にある。太陽電池セル群Ｓｇ４に５本目の導線Ｗ１ｅおよび６本目の導線Ｗ１ｆが電気的に接続している状態で位置している。６本の導線Ｗ１ａ，Ｗ１ｂ，Ｗ１ｃ，Ｗ１ｄ，Ｗ１ｅ，Ｗ１ｆは、それぞれ別々の孔部Ｔｈ１を挿通している状態で位置していてもよい。また、６本の導線Ｗ１ａ，Ｗ１ｂ，Ｗ１ｃ，Ｗ１ｄ，Ｗ１ｅ，Ｗ１ｆのうちの２本以上の導線が１つの孔部Ｔｈ１を挿通している状態で位置していてもよい。各孔部Ｔｈ１は、導線Ｗ１ａ，Ｗ１ｂ，Ｗ１ｃ，Ｗ１ｄ，Ｗ１ｅ，Ｗ１ｆが挿通されている状態で、例えば、ブチル系の樹脂またはポリイソプロピレン系の樹脂などの封止材によって封止されている状態にある。
【００２１】
端子ボックス３は、いわゆるジャンクションボックスと称されるものである。端子ボックス３は、図１などで示されるように、太陽電池パネル２の表面上に固定されている状態で位置している。図１から図５（ｂ）の例では、４つの端子ボックス３ａ，３ｂ，３ｃ，３ｄが、太陽電池パネル２の裏面Ｓｆ２上に固定されている状態で位置している。各端子ボックス３ａ，３ｂ，３ｃ，３ｄは、例えば、シリコン系の接着剤などを用いた接着によって裏面Ｓｆ２に固定され得る。図１で示されるように、端子ボックス３ａ，３ｄには、光電変換部２３で生じた電気を出力するための出力用のケーブルＣ１が電気的に接続されている状態で位置している。図１の例では、端子ボックス３ａに、出力用のケーブルＣ１ａが電気的に接続している状態で位置している。端子ボックス３ａでは、ケーブルＣ１ａと導線Ｗ１ａとが電気的に接続している状態で位置している。端子ボックス３ｄに、出力用のケーブルＣ１ｄが電気的に接続している状態で位置している。端子ボックス３ｄでは、ケーブルＣ１ｄと導線Ｗ１ｆとが電気的に接続している状態で位置している。ここで、例えば、ケーブルＣ１ａが正極用のケーブルである場合には、ケーブルＣ１ｄが負極用のケーブルである。また、例えば、ケーブルＣ１ａが負極用のケーブルである場合には、ケーブルＣ１ｄが正極用のケーブルである。
【００２２】
＜１−２．端子ボックス＞
端子ボックス３ｂ，３ｃについて、図４、図５（ａ）および図５（ｂ）に基づいて説明する。端子ボックス３ｂと端子ボックス３ｃとは、同様な構造を有している。このため、ここでは、端子ボックス３ｂを例に挙げて説明する。
【００２３】
図４、図５（ａ）および図５（ｂ）で示されるように、端子ボックス３ｂは、基体部３１と、本体部３２と、を有している。
【００２４】
基体部３１は、太陽電池パネル２の表面上に位置している。図４、図５（ａ）および図５（ｂ）で示されるように、基体部３１は、第１部分Ｐ１と、第２部分Ｐ２と、第１端子部分Ｔｍ１と、を有している。
【００２５】
第１部分Ｐ１は、太陽電池パネル２の表面上に固定されている状態で位置している。ここで、例えば、太陽電池パネル２に端子ボックス３ｂが固定される前の状態では、第１部分Ｐ１は、太陽電池パネル２の表面に固定されるための底面を含んでいる。図４、図５（ａ）および図５（ｂ）の例では、第１部分Ｐ１は、裏面保護部材２５の孔部Ｔｈ１のうちの裏面Ｓｆ２側の開口を囲んでいる状態で位置している。ここでは、第１部分Ｐ１は、環状の形状を有している。また、第１部分Ｐ１は、例えば、シリコン系の接着剤Ａｄ１などで裏面保護部材２５の裏面Ｓｆ２上に固定されている状態で位置している。
【００２６】
第２部分Ｐ２は、太陽電池パネル２の表面から離れる第１方向（第１実施形態では、−Ｚ方向）に沿って第１部分Ｐ１から突出している状態で位置している。ここで、例えば、太陽電池パネル２に端子ボックス３ｂが固定される前の状態では、第２部分Ｐ２は、第１部分Ｐ１の底面とは逆向きの第１方向（−Ｚ方向）に沿って第１部分Ｐ１から突出している状態で位置している。また、第２部分Ｐ２は、円環状の領域（第１円環状領域ともいう）Ｓｌ１と、この第１円環状領域Ｓｌ１に沿って位置している被係合部分Ｅｎ１と、を含んでいる。図４、図５（ａ）および図５（ｂ）の例では、第１円環状領域Ｓｌ１は、第１方向（−Ｚ方向）に沿った仮想的な軸Ａｘ２を中心とした筒状の形状を有している。そして、第１円環状領域Ｓｌ１の外周部に沿って被係合部分Ｅｎ１が位置している。換言すれば、被係合部分Ｅｎ１は、雄ネジの形態を有している。また、第２部分Ｐ２では、＋Ｚ方向の側の部分が開口している状態で位置している。また、第２部分Ｐ２は、第１円環状領域Ｓｌ１の−Ｚ方向の側の部分を塞いでいる状態で位置している底部Ｂｔ１を含んでいる。
【００２７】
第１実施形態では、例えば、第１部分Ｐ１と第２部分Ｐ２とが一体的な構成を有している。この第１部分Ｐ１および第２部分Ｐ２の素材には、例えば、樹脂などが適用される。この場合、第１部分Ｐ１および第２部分Ｐ２は、例えば、樹脂の一体成形などで製作され得る。
【００２８】
第１端子部分Ｔｍ１は、導線Ｗ１ｂ，Ｗ１ｃが電気的に接続されている状態で位置している。ここで、例えば、太陽電池パネル２に端子ボックス３ｂが固定される前の状態では、第１端子部分Ｔｍ１は、導線Ｗ１ｂ，Ｗ１ｃに電気的に接続されるための部分である。このため、例えば、太陽電池パネル２を製作した後に、第１端子部分Ｔｍ１に導線Ｗ１ｂ，Ｗ１ｃを接続させ、太陽電池パネル２の表面上に基体部３１を取り付けることができる。第１端子部分Ｔｍ１は、例えば、金属などの導電体によって構成されている。図５（ａ）および図５（ｂ）の例では、第１端子部分Ｔｍ１は、第２部分Ｐ２の底部Ｂｔ１を貫通している状態で位置している。そして、第１端子部分Ｔｍ１には、第２部分Ｐ２の内部空間内において、導線Ｗ１ｂ，Ｗ１ｃが電気的に接続されている状態で位置している。
【００２９】
本体部３２は、基体部３１上において基体部３１に係合している状態で位置している。図４、図５（ａ）および図５（ｂ）で示されるように、本体部３２は、第３部分Ｐ３と、第４部分Ｐ４と、を有している。
【００３０】
第３部分Ｐ３は、基体部３１と協働して密閉空間Ｓｃ１を形成している状態で位置している。換言すれば、第３部分Ｐ３は、基体部３１に本体部３２が装着されることで、基体部３１と協働して密閉空間Ｓｃ１を形成することができる。第３部分Ｐ３は、例えば、円筒状の側部Ｓｐ１と円形状の底部Ｂｔ２とを有するカップ状の形状を有している。密閉空間Ｓｃ１には、第２端子部分Ｔｍ２を含む部分（端子含有部分ともいう）が収容されている状態にある。また、密閉空間Ｓｃ１内において、第２端子部分Ｔｍ２が、第１端子部分Ｔｍ１に接触している状態で位置している。換言すれば、密閉空間Ｓｃ１には、第２端子部分Ｔｍ２を含む端子含有部分と、第１端子部分Ｔｍ１のうちの第２端子部分Ｔｍ２が接触している状態で位置している部分と、が収容されている状態にある。ここでは、例えば、第１端子部分Ｔｍ１のうちの底部Ｂｔ１から−Ｚ方向に突出している状態で位置している部分と、第２端子部分Ｔｍ２と、が接触している状態にある。端子含有部分には、例えば、後述するダイオードＢｄ１が含まれ得る。
【００３１】
ダイオードＢｄ１は、いわゆるバイパスダイオードと称されるものである。例えば、直列接続している状態にある一組の太陽電池セル群Ｓｇ１，Ｓｇ２および直列接続している状態にある一組の太陽電池セル群Ｓｇ３，Ｓｇ４のうちの何れかにおいて、受光量の低下に起因して内部抵抗が上昇する場合がある。このような場合に、ダイオードＢｄ１は、太陽電池セルＣＥ２の発熱を避けるために、内部抵抗が高い組の太陽電池セル群を避けるように電流を流すことができる。第１実施形態では、第２端子部分Ｔｍ２は、ダイオードＢｄ１のうちの外部に露出している状態で位置している電極である。図４、図５（ａ）および図５（ｂ）の例では、第２端子部分Ｔｍ２は、第１端子部分Ｔｍ１が嵌合されるように凹んでいる状態で位置している部分である。第２端子部分Ｔｍ２は、例えば、第１端子部分Ｔｍ１と同様に、金属などの導電体によって構成されている状態にある。
【００３２】
第４部分Ｐ４は、円環状の領域（第２円環状領域ともいう）Ｓｌ２と、この第２円環状領域Ｓｌ２に沿って位置している係合部分Ｅｎ２と、を含んでいる。図５（ａ）および図５（ｂ）の例では、第２円環状領域Ｓｌ２は、第１方向（−Ｚ方向）に沿った仮想的な軸Ａｘ２を中心とした筒状の形状を有している。そして、第２円環状領域Ｓｌ２の内周部に沿って係合部分Ｅｎ２が位置している。換言すれば、係合部分Ｅｎ２は、雌ネジの形態を有している。この係合部分Ｅｎ２は、被係合部分Ｅｎ１に対して回転可能かつ着脱可能な状態で係合することができる。このため、本体部３２は、基体部３１に対して着脱可能である。そして、図５（ｂ）で示されるように、端子ボックス３ｂが完成している状態では、係合部分Ｅｎ２は、被係合部分Ｅｎ１に対して回転可能かつ脱着可能な状態で係合している状態で位置している。このとき、例えば、係合部分Ｅｎ２と被係合部分Ｅｎ１との係合によって、基体部３１と本体部３２とが密着している状態となる。これにより、例えば、基体部３１と本体部３２とによって密閉空間Ｓｃ１が形成され得る。
【００３３】
上記構成が採用されれば、例えば、太陽電池パネル２を製作した後に、太陽電池パネル２の表面上に基体部３１を取り付け、この基体部３１に本体部３２を回転によって係合させることで、端子ボックス３ｂを完成させることができる。これにより、例えば、太陽電池パネル２に対して端子ボックス３ｂを容易に取り付けることができる。また、例えば、太陽電池パネル２に固定されている基体部３１から本体部３２を回転によって脱着させることができる。このため、例えば、本体部３２を容易に交換することができる。これにより、例えば、太陽電池モジュール１およびこの太陽電池モジュール１用の端子ボックス３ｂについては、長期間の使用を容易に図ることができる。また、太陽電池モジュール１は、端子ボックス３ｂの本体部３２を交換することによって、太陽電池モジュール１を補修して再生することで、太陽電池モジュール１の再利用に寄与できる。また、例えば、第１端子部分Ｔｍ１と第２端子部分Ｔｍ２とが接続している状態で位置している部分とは異なる部分において、係合部分Ｅｎ２と被係合部分Ｅｎ１との係合によって、基体部３１に本体部３２が取り付けられ得る。これにより、例えば、第１端子部分Ｔｍ１と第２端子部分Ｔｍ２とが接続している状態にある部分に外力などに起因する負荷が加わりにくい。
【００３４】
また、ここで、例えば、端子含有部分が、ダイオードＢｄ１を含んでいれば、太陽電池モジュール１用のバイパスダイオードとして機能するダイオードＢｄ１が基体部３１に対して着脱可能な状態で存在し得る。これにより、例えば、基体部３１から本体部３２を回転によって脱着させ、ダイオードＢｄ１を容易に交換することができる。その結果、例えば、太陽電池モジュール１においてダイオードＢｄ１の劣化にともなう不具合を解消しやすくなる。
【００３５】
ところで、ここでは、例えば、端子含有部分としてのダイオードＢｄ１が、第１方向（−Ｚ方向）において第３部分Ｐ３と当接している状態で位置していてもよい。この場合には、例えば、基体部３１に本体部３２を装着する際に、本体部３２を基体部３１に対して押し付けることで、第１端子部分Ｔｍ１に第２端子部分Ｔｍ２を押し付けることができる。このため、例えば、特別な治具などを用いることなく、第１端子部分Ｔｍ１と第２端子部分Ｔｍ２との間における電気的な接続が容易かつ精度良く実現され得る。
【００３６】
＜１−３．第１実施形態のまとめ＞
第１実施形態に係る太陽電池モジュール１および端子ボックス３ｂ，３ｃでは、例えば、太陽電池パネル２を製作した後に、太陽電池パネル２の表面上に基体部３１を取り付け、この基体部３１に本体部３２を回転によって係合させることができる。これにより、例えば、太陽電池パネル２に対して端子ボックス３ｂを容易に取り付けることができる。また、例えば、太陽電池パネル２に固定されている状態にある基体部３１から本体部３２を回転によって脱着させることができる。このため、例えば、本体部３２を容易に交換することができる。これにより、例えば、太陽電池モジュール１およびこの太陽電池モジュール１用の端子ボックス３ｂについては、長期間の使用を容易に図ることができる。
【００３７】
＜２．他の実施形態＞
本開示は上述の第１実施形態に限定されるものではなく、本開示の要旨を逸脱しない範囲において種々の変更、改良などが可能である。
【００３８】
＜２−１．第２実施形態＞
上記第１実施形態において、上記端子ボックス３ｂを基本構成として、例えば、図６、図７（ａ）および図７（ｂ）で示されるように、孔部Ｔｈ１に嵌合している状態で位置している凸部Ｐｒ１を有している端子ボックス３ｂＡに変更されてもよい。具体的には、例えば、端子ボックス３ｂＡは、上記端子ボックス３ｂの基体部３１に凸部Ｐｒ１が加えられた構成を有する基体部３１Ａを備えていてもよい。図６、図７（ａ）および図７（ｂ）の例では、凸部Ｐｒ１は、基体部３１Ａの＋Ｚ側の部分から＋Ｚ方向に突出している状態で位置している環状の部分である。そして、例えば、凸部Ｐｒ１は、孔部Ｔｈ１の内周に沿って挿入されることで、孔部Ｔｈ１に嵌合され得る。
【００３９】
ここで、例えば、裏面保護部材２５が、第１方向（−Ｚ方向）とは逆の第２方向（＋Ｚ方向）に貫通している状態で位置している孔部Ｔｈ１を有している板状の部材（第２板状部材）であれば、裏面保護部材２５に基体部３１Ａが取り付けられれば、孔部Ｔｈ１に凸部Ｐｒ１が嵌合している状態となる。これにより、例えば、板状の裏面保護部材２５に基体部３１Ａが強固に固定され得る。その結果、例えば、基体部３１Ａに本体部３２を回転によって係合させる際の外力、ならびに太陽電池モジュール１の設置作業における工具または治具の接触による外力、の何れが基体部に作用しても、基体部３１Ａが裏面保護部材２５から脱落しにくい。また、例えば、基体部３１Ａの凸部Ｐｒ１を裏面保護部材２５の孔部Ｔｈ１に嵌合させる作業によって、裏面保護部材２５に対する基体部３１Ａの取り付け位置が容易に決められ得る。
【００４０】
＜２−２．第３実施形態＞
上記各実施形態において、上記端子ボックス３ｂ，３ｂＡを基本構成として、例えば、図８（ａ）および図８（ｂ）で示されるように、基体部３１Ｂと本体部３２Ｂとの間隙を塞いでいる状態で位置しているパッキング部材Ｐｋ１をさらに備えている端子ボックス３ｂＢに変更されてもよい。パッキング部材Ｐｋ１の素材としては、例えば、ブチルゴムなどの弾性変形が可能であり且つ耐候性に優れた素材が採用される。このような構成が採用されれば、例えば、基体部３１Ｂと本体部３２Ｂとの間隙から端子ボックス３ｂＢ内に水分が浸入しにくくなる。
【００４１】
ここで、例えば、図８（ａ）および図８（ｂ）で示されるように、基体部３１Ｂは、上記基体部３１Ａを基本構成として、本体部３２Ｂに向かって突出している状態で位置している環状の部分（環状突出部分ともいう）Ｐｒ２が追加された構成を有していてもよい。図８（ａ）および図８（ｂ）の例では、環状突出部分Ｐｒ２は、底部Ｂｔ１の−Ｚ方向の側の面の外周部に沿って位置している。このとき、例えば、図８（ａ）および図８（ｂ）で示されるように、本体部３２Ｂは、上記本体部３２を基本構成として、パッキング部材Ｐｋ１を保持している状態で位置している環状の部分（環状保持部分ともいう）Ｈｐ１が追加された構成を有していてもよい。図８（ａ）および図８（ｂ）の例では、環状保持部分Ｈｐ１は、円筒状の側部Ｓｐ１の内周面に沿って位置している。このとき、例えば、パッキング部材Ｐｋ１は、環状突出部分Ｐｒ２と当接している状態で位置していてもよい。ここでは、例えば、本体部３２Ｂにパッキング部材Ｐｋ１が保持されている状態にある。このため、例えば、本体部３２Ｂを基体部３１Ｂから脱着させ、新たな本体部３２Ｂを基体部３１Ｂに装着させることで、パッキング部材Ｐｋ１を容易に交換することができる。
【００４２】
さらに、ここで、例えば、図８（ａ）および図８（ｂ）で示されるように、環状保持部分Ｈｐ１は、第１方向（−Ｚ方向）に凹んでいる状態で位置している環状の部分（環状凹部ともいう）Ｃｇ１であってもよい。このとき、例えば、パッキング部材Ｐｋ１が、環状凹部Ｃｇ１内に位置していてもよい。そして、例えば、環状突出部分Ｐｒ２が、環状凹部Ｃｇ１内においてパッキング部材Ｐｋ１と当接している状態で位置していてもよい。このような構成が採用されれば、例えば、基体部３１Ｂに本体部３２Ｂを装着する際に、環状突出部分Ｐｒ２を環状凹部Ｃｇ１内に挿入する作業によって、基体部３１Ｂに対する本体部３２Ｂの位置決めが容易に実現され得る。
【００４３】
＜２−３．第４実施形態＞
上記各実施形態において、上記端子ボックス３ｂ，３ｂＡ，３ｂＢを基本構成として、例えば、図１１（ａ）および図１１（ｂ）で示されるように、第３部分Ｐ３と端子含有部分としてのダイオードＢｄ１と第４部材Ｐ４とが一体的に構成されている状態にある端子ボックス３ｂＣに変更されてもよい。ここで、例えば、接合、接着、連結、係合、嵌合および締結などの種々の手法のうちの１種以上の手法によって、第３部分Ｐ３とダイオードＢｄ１とが一体的に構成されている状態とされてもよいし、第４部分Ｐ４とダイオードＢｄ１とが、一体的に構成されている状態とされてもよい。また、ここで、端子ボックス３ｂＣは、例えば、図９（ａ）および図９（ｂ）で示されるように、基体部３１Ｃと本体部３２Ｃとを有している。基体部３１Ｃは、上記基体部３１Ｂを基本構成として、第１方向（−Ｚ方向）とは逆の第２方向（＋Ｚ方向）に平面透視した場合に、第１端子部分Ｔｍ１Ｃが、仮想的な軸Ａｘ２を中心とした円状の仮想線Ｖｃ１に沿って位置するように変更されたものである。本体部３２Ｃは、上記本体部３２Ｂを基本構成として、第１方向（−Ｚ方向）に平面透視した場合に、第２端子部分Ｔｍ２Ｃが、仮想的な軸Ａｘ２を中心とした円状の仮想線Ｖｃ１に沿って位置するように変更されたものである。このとき、さらに、例えば、第４部分Ｐ４が、第２部分Ｐ２に対して仮想的な軸Ａｘ２を中心として、回転可能な状態で位置していてもよい。
【００４４】
このような構成が採用されれば、例えば、本体部３２Ｃを仮想的な軸Ａｘ２を中心として回転させると、第２端子部分Ｔｍ２Ｃに大きな力のモーメントが生じ得る。これにより、例えば、第１端子部分Ｔｍ１Ｃと第２端子部分Ｔｍ２Ｃとが強固に接触あるいは嵌合するような構造によって、第１端子部分Ｔｍ１Ｃと第２端子部分Ｔｍ２Ｃとを電気的により確実に接続させることが可能となる。その結果、例えば、太陽電池パネル２における発電によって得られる電力が高くなっても、第１端子部分Ｔｍ１Ｃと第２端子部分Ｔｍ２Ｃとの接触部分において高い電気抵抗によってアークが飛ぶような不具合が生じにくい。
【００４５】
また、ここで、例えば、図９（ａ）、図１０（ａ）、図１１（ａ）および図１１（ｂ）で示されるように、第１端子部分Ｔｍ１Ｃが、上記第１端子部分Ｔｍ１が基本構成とされて、屈曲している状態で位置している端子部分（屈曲端子部分ともいう）に変更されたものであってもよい。このとき、第１端子部分Ｔｍ１Ｃは、例えば、第１方向（−Ｚ方向）に沿って延びている状態で位置している第１板状部分Ｐｌ１と、この第１板状部分Ｐｌ１から折れ曲がるように延びている状態で位置している第２板状部分Ｐｌ２と、を有している。図９（ａ）、図１０（ａ）、図１１（ａ）および図１１（ｂ）の例では、第１端子部分Ｔｍ１Ｃは、底部Ｂｔ１に締結されるための孔部Ｔｈ２を有する第３板状部分Ｐｌ３と、底部Ｂｔ１を貫通している状態で位置している第４板状部分Ｐｌ４と、を有している。
【００４６】
さらに、ここで、例えば、図９（ｂ）、図１０（ｂ）、図１１（ａ）および図１１（ｂ）で示されるように、第２端子部分Ｔｍ２Ｃが、上記第２端子部分Ｔｍ２が基本構成とされて、被係止端子部分Ｆｋ１を含んでいる構成に変更されたものであってもよい。このとき、被係止端子部分Ｆｋ１は、例えば、第１板状部分Ｐｌ１と接触している状態であって、第１方向（−Ｚ方向）において第２板状部分Ｐｌ２によって係止されている状態で位置していてもよい。例えば、第１端子部分Ｔｍ１Ｃと第２端子部分Ｔｍ２Ｃとが、屈曲している状態にある第１端子部分Ｔｍ１Ｃによって、他の第２端子部分Ｔｍ２Ｃが係止されている状態で位置する。このような構造によって、基体部３１Ｃに対して本体部３２Ｃが強固に固定され得る。
【００４７】
また、図９（ｂ）、図１０（ｂ）、図１１（ａ）および図１１（ｂ）の例では、第２端子部分Ｔｍ２Ｃは、固定部分Ｆｘ１Ｃと、第５板状部分Ｐｌ５と、接続部分Ｃｌ１と、を有している。固定部分Ｆｘ１Ｃは、第３部分Ｐ３の底部Ｂｔ２に固定されている状態で位置している部分である。第５板状部分Ｐｌ５は、固定部分Ｆｘ１Ｃから延び出ている状態で位置している部分である。また、第５板状部分Ｐｌ５は、第３部分Ｐ３の底部Ｂｔ２に締結されるための孔部Ｔｈ３を有している。接続部分Ｃｌ１は、第１方向（−Ｚ方向）に平面視して、Ｕ字状に曲がっている状態にある板状の部分である。この接続部分Ｃｌ１は、間隙部ＧＰ２を形成している状態で位置している。ここでは、第４部分Ｐ４が、第２部分Ｐ２に対して仮想的な軸Ａｘ２を中心として、回転されれば、間隙部ＧＰ２に第１端子部分Ｔｍ１Ｃの第１板状部分Ｐｌ１が挿入されて、接続部分Ｃｌ１に第１板状部分Ｐｌ１が嵌合される。このとき、接続部分Ｃｌ１が、第１方向（−Ｚ方向）において第２板状部分Ｐｌ２によって係止されている状態にある被係止端子部分Ｆｋ１となっている。また、図９（ｂ）、図１１（ａ）および図１１（ｂ）の例では、環状保持部分Ｈｐ１Ｃは、上記環状保持部分Ｈｐ１を基本構成として、パッキング部材Ｐｋ１を保持している状態にある環状凹部Ｃｇ１が、円筒状の側部Ｓｐ１の内周部に沿った段差に変更されたものである。
【００４８】
ここでは、例えば、第１端子部分Ｔｍ１Ｃの構成と、第２端子部分Ｔｍ２Ｃの構成とが、入れ替えられてもよい。つまり、第２端子部分Ｔｍ２Ｃが、屈曲端子部分を含み、第１端子部分Ｔｍ１Ｃが、被係止端子部分Ｆｋ１を含んでいてもよい。このとき、例えば、被係止端子部分Ｆｋ１は、第１板状部分Ｐｌ１と接触している状態であって、第１方向（−Ｚ方向）とは逆の第２方向（＋Ｚ方向）において第２板状部分Ｐｌ２によって係止されている状態で位置していてもよい。
【００４９】
＜２−４．第５実施形態＞
上記各実施形態において、例えば、上記端子ボックス３を基本構成として、導線Ｗ１ａ，Ｗ１ｆと電気的に接続されている状態で位置している、図１２で示される、ケーブルＣ１（Ｃ１ａ，Ｃ１ｄ）を有している基体部３１Ｄを備えた端子ボックス３Ｄに変更されてもよい。このような構成が採用されれば、例えば、端子ボックス３Ｄに、ケーブルＣ１とダイオードＢｄ１とが含まれる場合であっても、ケーブルＣ１を継続して使用し、ダイオードＢｄ１などの端子含有部分を交換する際に、交換の対象となる部分が少なくても済む。これにより、例えば、端子ボックス３の長期間の使用を図るための修復が容易に可能となる。
【００５０】
図１２の例では、１つの基体部３１Ｄに対して、２つの本体部３２ｂＤ，３２ｃＤが係合されている状態で位置している。ここで、１つの基体部３１Ｄは、太陽電池パネル２に固定されるための第１部分Ｐ１Ｄと、２つの本体部３２ｂＤ，３２ｃＤが係合されている状態で位置している被係合部分Ｅｎ１をそれぞれ含む２つの第２部分Ｐ２と、を有している。また、ここで、本体部３２ｂＤは、第１方向（−Ｚ方向）に沿って延びる仮想的な軸Ａｘ２ｂを中心として回転可能な状態で位置している、係合部分Ｅｎ２を含む第４部分Ｐ４、を有している。また、ここで、本体部３２ｃＤは、第１方向（−Ｚ方向）に沿って延びる仮想的な軸Ａｘ２ｃを中心として回転可能な状態で位置している、係合部分Ｅｎ２を含む第４部分Ｐ４、を有している。
【００５１】
＜２−５．第６実施形態＞
上記第１実施形態から上記第４実施形態において、上記端子ボックス３ｂ，３ｂＡ，３ｂＢ，３ｂＣを基本構成として、例えば、図１３で示されるように、ケーブルＣ１の着脱が可能な状態で位置している本体部３２Ｅを有する端子ボックス３Ｅに変更されてもよい。この場合、第２端子部分Ｔｍ２，Ｔｍ２Ｃは、ケーブルＣ１と電気的に接続されている状態で位置していてもよい。このとき、端子含有部分は、ケーブルＣ１と電気的に接続している状態で位置している第２端子部分Ｔｍ２，Ｔｍ２Ｃを含む部分である。図１３の例では、端子ボックス３Ｅは、基体部３１Ｅと本体部３２Ｅとを有している。基体部３１Ｅは、上記基体部３１Ｃを基本構成として、第１端子部分Ｔｍ１Ｃの数が２つから４つに増加されたものである。また、本体部３２Ｅは、上記本体部３２Ｃを基本構成として、ケーブルＣ１ａの端子Ａｔ１ａが着脱可能な状態にある接続部Ａｔ２ａと、ケーブルＣ１ｄの端子Ａｔ１ｄが着脱可能な状態にある接続部Ａｔ２ｄと、が追加された状態にあるような構成を有する。
【００５２】
このように、ケーブルＣ１の本体部３２Ｅに対する着脱が可能になることで、例えば、ケーブルＣ１のみの交換が必要になった場合に、ケーブルＣ１のみを交換し、他の部品を継続して使用できる。これにより、本体部３２Ｅおよび太陽電池モジュール１の長期間の使用をより容易に図ることができる。
【００５３】
＜２−６．第７実施形態＞
上記各実施形態において、例えば、図１４、図１５（ａ）および図１５（ｂ）で示されるように、被係合部分Ｅｎ１と係合部分Ｅｎ２とが、他の形態で係合を行う構成を有するものに変更されてもよい。換言すれば、被係合部分Ｅｎ１および係合部分Ｅｎ２は、例えば、雄ネジと雌ネジの回転による係合の形態に限らず、他の係合を実現する形態を有していてもよい。具体的には、例えば、本体部３２Ｆを基体部３１Ｆへ被せた状態で＋Ｚ軸方向へ押し込みつつ、３６０度未満の所定角度回動させることで、被係合部Ｅｎ１と係合部Ｅｎ２とが係合する形態が採用されてもよい。図１４、図１５（ａ）および図１５（ｂ）の例では、上記端子ボックス３ｂ，３ｂＡを基本構成として、基体部３１が基体部３１Ｆに変更され、本体部３２が本体部３２Ｆに変更された、端子ボックス３ｂＦが採用されている。基体部３１Ｆでは、第２部分Ｐ２の外周部の一部に沿って被係合部分Ｅｎ１が位置している。本体部３２Ｆでは、第４部分Ｐ４の内周部の一部に沿って係合部分Ｅｎ２が位置している。
【００５４】
このような構造を用いることで、被係合部分Ｅｎ１および係合部分Ｅｎ２の双方においてＺ方向で係合に必要な凸部の数を１つにできる。これにより、雄ネジおよび雌ネジの回転による係合の場合よりも、被係合部分Ｅｎ１および係合部分Ｅｎ２の双方におけるＺ方向の幅を小さくすることができて、本体部３２Ｆの小型化を図りやすくすることができる。さらに、雄ネジおよび雌ネジの回転による係合の場合に必要であった締付トルクの管理が不要にできるため、基体部３１Ｆに対する本体部３２Ｆの取り付けに係る作業性を高めることができる。
【００５５】
＜２−７．第８実施形態＞
上記第１実施形態から上記第４実施形態および上記第６実施形態において、上記本体部３２，３２Ｂ，３２Ｃ，３２Ｆが、例えば、図１６で示されるように、端子含有部分としてのダイオードＢｄ１を内蔵している状態にある本体部３２Ｇに変更された端子ボックス３ｂＧが採用されてもよい。図１６の例では、本体部３２Ｇでは、端子含有部分としてのダイオードＢｄ１が第３部分Ｐ３に内蔵されている状態にあるように構成されている。このとき、端子含有部分としてのダイオードＢｄ１と、第３部分Ｐ３とが一体的に構成されている状態にある。これにより、例えば、基体部３１に本体部３２Ｇを装着する際に、本体部３２Ｇを基体部３１に対して押し付けることで、第１端子部分Ｔｍ１に第２端子部分Ｔｍ２を押し付けることができる。また、第１端子部分Ｔｍ１と第２端子部分Ｔｍ２とは、第１方向（ここでは、−Ｚ方向）に見て本体部３２Ｇの回動方向に沿う円弧状の形状を有していてもよい。また、基体部３１に対して本体部３２Ｇを回動したときに、この回動に伴って第１端子部分Ｔｍ１と第２端子部分Ｔｍ２とが互いに摺動できる形状を有していてもよい。また、第１端子部分Ｔｍ１および第２端子部分Ｔｍ２がそれぞれ一対あり、所定の正極と負極の役割を持つようにしてもよい。この場合、本体部３２Ｇの回動が終わるときに、第１端子部分Ｔｍ１と第２端子部分Ｔｍ２とが、所定の正極同士と負極同士とが組み合わさるように、被係合部分Ｅｎ１と係合部分Ｅｎ２とを位置させてもよい。その結果、例えば、特別な治具などを用いることなく、第１端子部分Ｔｍ１と第２端子部分Ｔｍ２との間における電気的な接続が容易かつ精度良く実現され得る。
【００５６】
＜２−８．第９実施形態＞
上記各実施形態において、例えば、図１７で示されるように、被係合部分Ｅｎ１が第１円環状領域Ｓｌ１の内周に沿って位置し、係合部分Ｅｎ２が第２円環状領域Ｓｌ２の外周に沿って位置している、端子ボックス３ｂＨが採用されてもよい。図１７の例は、上記端子ボックス３ｂを基本構成として、基体部３１Ｈと本体部３２Ｈとを有する端子ボックス３ｂＨに変更されたものである。基体部３１Ｈは、上記基体部３１を基本構成として、第１円環状領域Ｓｌ１の内周に沿って被係合部分Ｅｎ１が位置しているように変更されたものである。具体的には、円環状の溝部Ｃｇ２の内周面に被係合部分Ｅｎ１が位置している。本体部３２Ｈは、上記本体部３２を基本構成として、第２円環状領域Ｓｌ２の外周に沿って係合部分Ｅｎ２が位置しているように変更されたものである。
【００５７】
このような構造を用いた場合にも、端子ボックス３ｂＨにおいて本体部３２Ｈを容易に交換することができ、太陽電池モジュール１の長期間の使用を容易に図ることができる。
【００５８】
＜２−９．第１０実施形態＞
上記各実施形態において、上記本体部３２，３２Ｂ，３２Ｃ，３２ｂＤ，３２ｃＤ，３２Ｅ，３２Ｆ，３２Ｇ，３２Ｈが基本構成とされて、上記の第３部分Ｐ３と第４部分Ｐ４とが、例えば、図１８および図１９で示されるように、別体の第３部分Ｐ３Ｉと第４部分Ｐ４Ｉとに変更された、本体部３２Ｉが採用されてもよい。このような構成が採用されれば、例えば、第１端子部分Ｔｍ１，Ｔｍ１Ｃおよび第２端子部分Ｔｍ２，Ｔｍ２Ｃの構造に拘わらず、基体部３１に対して本体部３２Ｉを係合させる際に、基体部３１に対する本体部３２Ｉの回転数を大きくすることができる。これにより、例えば、基体部３１に対して本体部３２Ｉを強固に固定することができる。
【００５９】
ここでは、図１８および図１９で示されるように、第３部分Ｐ３Ｉは、例えば、第１環状部Ｌｄ１と、第２環状部Ｓｄ１と、段差部Ｓｔ１と、を含んでいる。第１環状部Ｌｄ１は、第２環状部Ｓｄ１よりも太陽電池パネル２の表面（ここでは、裏面Ｓｆ２）側に位置している第１の径の円環状の外縁を有している。図１８および図１９の例では、第１環状部Ｌｄ１は、第１方向（−Ｚ方向）に沿って延びる仮想的な軸Ａｘ２を中心とした円筒状の部分（第１円筒状部分ともいう）である。第２環状部Ｓｄ１は、第１環状部Ｌｄ１の第１方向（−Ｚ方向）の側に位置し、第１の径よりも小さな第２の径を有している。図１８および図１９の例では、第２環状部Ｓｄ１は、仮想的な軸Ａｘ２を中心とした円筒状の部分（第２円筒状部分ともいう）である。段差部Ｓｔ１は、第１環状部Ｌｄ１と第２環状部Ｓｄ１とをつないでいる状態で位置している。図１８および図１９の例では、段差部Ｓｔ１は、仮想的な軸Ａｘ２に直交する仮想的な平面に沿って位置している輪状の円盤のような形状を有する。
【００６０】
また、第４部分Ｐ４Ｉは、孔部Ｔｈ４と、押さえ部Ｆｌ１と、筒状部Ｓｌ３Ｉと、を含んでいる。図１８および図１９の例では、筒状部Ｓｌ３Ｉは、仮想的な軸Ａｘ２を中心とした円筒状の部分である。筒状部Ｓｌ３Ｉの外周面に凹凸が形成されている状態にあれば、ユーザが手で筒状部Ｓｌ３Ｉを回しやすい。孔部Ｔｈ４は、第２環状部Ｓｄ１が挿通されている状態で位置している。押さえ部Ｆｌ１は、孔部Ｔｈ４の周りにおいて第１方向（−Ｚ方向）とは逆の第２方向（＋Ｚ方向）に段差部Ｓｔ１を押している状態で位置している。筒状部Ｓｌ３Ｉは、押さえ部Ｆｌ１から第１環状部Ｌｄ１の外周部Ｏｐ１Ｉに沿って第２方向（＋Ｚ方向）に延びている状態で位置している。また、筒状部Ｓｌ３Ｉは、係合部分Ｅｎ２を有している。図１８および図１９の例では、筒状部Ｓｌ３Ｉの内周に沿って係合部分Ｅｎ２が位置している。
【００６１】
＜３．その他＞
上記各実施形態では、例えば、端子含有部分としてのダイオードＢｄ１は、第１方向（−Ｚ方向）において第３部分Ｐ３と離れている状態で位置していてもよい。
【００６２】
上記各実施形態では、例えば、表面保護部材２１が、ＸＹ平面に沿った方向において、裏面保護部材２５よりも延び出ている状態で位置している部分（延出部分ともいう）を有していれば、この延出部分上に、端子ボックス３が固定されている状態で位置してもよい。
【００６３】
上記各実施形態では、例えば、被係合部分Ｅｎ１と係合部分Ｅｎ２とが、凸部と凹部とが係合する形態を有していてもよいし、凸部と凸部とが係合する形態を有していてもよい。
【００６４】
上記第１実施形態および第３実施形態から第１０実施形態では、例えば、裏面保護部材２５は、板状の部材ではなく、柔軟性を有するシート状の部材であってもよい。
【００６５】
上記第６実施形態では、端子含有部材が、例えば、第２端子部分Ｔｍ２，Ｔｍ２Ｃを含むダイオードＢｄ１、およびケーブルＣ１と接続されている状態にある第２端子部分Ｔｍ２，Ｔｍ２Ｃを含む部分のうち、一方の部分を含んでいてもよいし、両方の部分を含んでいてもよい。
【００６６】
上記第１０実施形態では、例えば、筒状部Ｓｌ３Ｉには、周方向の一部が欠けるように、第１方向（−Ｚ方向）に沿って延びている状態で位置しているスリットなどが存在していてもよい。
【００６７】
上記各実施形態および各種変形例をそれぞれ構成する全部または一部を、適宜、矛盾しない範囲で組み合わせ可能であることは、言うまでもない。
【符号の説明】
【００６８】
１  太陽電池モジュール
２  太陽電池パネル
３，３ａ，３ｂ，３ｂＡ，３ｂＢ，３ｂＣ，３ｂＦ，３ｂＧ，３ｂＨ，３ｃ，３ｄ，３Ｄ，３Ｅ  端子ボックス
２３  光電変換部
２５  裏面保護部材
３１，３１Ａ，３１Ｂ，３１Ｃ，３１Ｄ，３１Ｅ，３１Ｆ，３１Ｈ  基体部
３２，３２Ｂ，３２Ｃ，３２Ｅ，３２Ｆ，３２Ｇ，３２Ｈ，３２Ｉ，３２ｂＤ，３２ｃＤ  本体部
Ａｘ２，Ａｘ２ｂ，Ａｘ２ｃ  軸
Ｂｄ１  ダイオード（端子含有部分）
Ｃ１，Ｃ１ａ，Ｃ１ｄ  ケーブル
ＣＥ２  太陽電池セル
Ｃｇ１  環状凹部
Ｃｇ２  溝部
Ｅｎ１  被係合部分
Ｅｎ２  係合部分
Ｆｋ１  被係止端子部分
Ｆｌ１  押さえ部
Ｈｐ１，Ｈｐ１Ｃ  環状保持部分
Ｌｄ１  第１環状部
Ｏｐ１Ｉ  外周部
Ｐ１，Ｐ１Ｄ  第１部分
Ｐ２  第２部分
Ｐ３，Ｐ３Ｉ  第３部分
Ｐ４，Ｐ４Ｉ  第４部分
Ｐｋ１  パッキング部材
Ｐｌ１  第１板状部分
Ｐｌ２  第２板状部分
Ｐｒ１  凸部
Ｐｒ２  環状突出部分
Ｓｃ１  密閉空間
Ｓｄ１  第２環状部
Ｓｆ２  裏面
Ｓｌ１  第１円環状領域
Ｓｌ２  第２円環状領域
Ｓｌ３Ｉ  筒状部
Ｓｐ１  側部
Ｓｔ１  段差部
Ｔｈ１，Ｔｈ２，Ｔｈ３，Ｔｈ４  孔部
Ｔｍ１，Ｔｍ１Ｃ  第１端子部分
Ｔｍ２，Ｔｍ２Ｃ  第２端子部分
Ｖｃ１  仮想線
Ｗ１ａ，Ｗ１ｂ，Ｗ１ｃ，Ｗ１ｄ，Ｗ１ｅ，Ｗ１ｆ  導線
【図１】
2018181289.tif 000003
【図２】
2018181289.tif 000004
【図３】
2018181289.tif 000005
【図４】
2018181289.tif 000006
【図５】
2018181289.tif 000007
【図６】
2018181289.tif 000008
【図７】
2018181289.tif 000009
【図８】
2018181289.tif 000010
【図９】
2018181289.tif 000011
【図１０】
2018181289.tif 000012
【図１１】
2018181289.tif 000013
【図１２】
2018181289.tif 000014
【図１３】
2018181289.tif 000015
【図１４】
2018181289.tif 000016
【図１５】
2018181289.tif 000017
【図１６】
2018181289.tif 000018
【図１７】
2018181289.tif 000019
【図１８】
2018181289.tif 000020
【図１９】
2018181289.tif 000021
【国際調査報告】
2018181289.tif 000022
2018181289.tif 000023
2018181289.tif 000024
2018181289.tif 000025